(57)【要約】【課題】  送信機器からＨＤＭＩを用いて送信される映像データと音声データの品質劣化を防止する。【解決手段】  デジタルデータ出力回路７は映像及び音声信号を生成する。ＨＤＭＩ  ＬＳＩ５はデジタルデータ出力回路７により生成された映像及び音声信号を送信用映像及び音声データに変換する。ＬＳＩ制御部６は前記送信用映像データ及び音声データを切替えるためのデータ切替え信号を出力する。ＨＤＭＩ  ＬＳＩ５は又、ＬＳＩ制御部６からの前記データ切替え信号に応じて、前記変換された映像及び音声データの一方又は両方を選択して送信する（Ｓ１２〜Ｓ１３）。【選択図】  図９
2005057714.tif 000002
【特許請求の範囲】
【請求項１】
映像及び音声信号を選択的に送信する送信機器であって、
映像及び音声信号を生成する信号生成手段と、
前記信号生成手段から生成された映像及び音声信号に基づいて前記映像信号と前記音声信号とを交互に配列させた映像データ及び音声データを生成する映像音声生成手段と、
前記送信機器に接続された映像機器又は音声機器に応じて、前記映像音声生成手段によって生成された前記映像データ及び音声データをＯＮ／ＯＦＦするためのデータ切替信号を出力する出力制御手段と、
この出力制御手段によって出力された前記データ切替信号に基づいて、前記映像データ及び音声データのＯＮ／ＯＦＦ制御を行うことで、前記映像データ及び音声データの一方又は両方を前記映像機器又は音声機器に送信する送信制御手段と、
を具備することを特徴とする送信機器。
【請求項２】
前記映像音声生成手段は、前記信号生成手段からの映像及び音声信号をＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）データに変換することを特徴とする請求項１記載の送信機器。
【請求項３】
前記出力制御手段は、前記送信機器に接続された受信機器からのＥＤＩＤ（Ｅｘｔｅｎｄｅｄ  Ｄｉｓｐｌａｙ  Ｉｄｅｎｔｉｆｉｃａｔｉｏｎ  Ｄａｔａ）に基づいて該受信機器の種類を判断し、判断した種類に応じて前記切替え信号を発生することを特徴とする請求項１又は２記載の送信機器。
【請求項４】
ユーザ指示を入力するためのユーザインターフェースを具備し、前記出力制御手段は、前記ユーザインターフェースから得られるユーザ指示に基づいて前記切替え信号を発生することを特徴とする請求項１又は２記載の送信機器。
【請求項５】
映像及び音声信号を送信する送信機器における送信方法であって、
映像及び音声信号を生成するステップと、
前記送信機器から送信されるデータを切替えるためのデータ切替え信号を発生するステップと、
前記生成された映像及び音声信号を交互に配列させた映像データ及び音声データを生成するステップと、
前記データ切替え信号に応じて、前記映像データ及び音声データの一方又は両方を選択して送信するステップと、
を具備することを特徴とする送信方法。
【請求項６】
前記データ生成ステップでは、前記生成された映像及び音声信号をＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）データに変換することを特徴とする請求項５記載の送信方法。
【請求項７】
前記切換え信号発生ステップでは、前記送信機器に接続された受信機器からのＥＤＩＤ（Ｅｘｔｅｎｄｅｄ  Ｄｉｓｐｌａｙ  Ｉｄｅｎｔｉｆｉｃａｔｉｏｎ  Ｄａｔａ）に基づいて該受信機器の種類を判断し、判断した種類に応じて前記切替え信号を発生することを特徴とする請求項５又は６記載の送信方法。
【請求項８】
前記切換え信号発生ステップでは、ユーザ指示を入力するためのユーザインターフェースから得られるユーザ指示に基づいて前記切替え信号を発生することを特徴とする請求項５又は６記載の送信方法。
【発明の詳細な説明】
【技術分野】  この発明は、映像及び音声信号を送信するためのＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）において、送信データを選択して送信する技術に関する。
【背景技術】  映像及び音声信号の送信技術は例えば下記特許文献１に示されている。最近では、高解像度の映像及び音声信号を送信する方法としてＨＤＭＩが規格化されている。ＨＤＭＩはＨＤＴＶに対応したデジタル映像・音声用インターフェースであり、２００３年２月に最終仕様が公開されている。
【特許文献１】    特開２００１−２６６４８９号公報
【発明の開示】
【発明が解決しようとする課題】  上記したＨＤＭＩの仕様においては、送信機器が映像と音声データを同じ配線を使用して、交互に受信機器に送信する。この方式だとＴＶなどの映像・音声の両方が出力可能な機器においては、１本のケーブルで機器間の接続が可能なため便利ではあるが、データの相互干渉あるいはノイズなどにより、データの値が変化するいわゆるデータ化け等のデータ品質の劣化が生じる場合がある。
このようなデータ品質の劣化が生じると、映像が出ない、映像が途切れる又は乱れる、音声が出ない又は途切れる、映像や音声にノイズが混入する等の不具合が発生する。
従って本発明は、送信機器からＨＤＭＩを用いて送信される映像データと音声データの品質劣化を防止することを目的としている。
【課題を解決するための手段】  上記目的を達成するために本発明は、映像及び音声信号を選択的に送信する送信機器であって、映像及び音声信号を生成する信号生成手段と、前記信号生成手段から生成された映像及び音声信号に基づいて前記映像信号と前記音声信号とを交互に配列させた映像データ及び音声データを生成する映像音声生成手段と、前記送信機器に接続された映像機器又は音声機器に応じて、前記映像音声生成手段によって生成された前記映像データ及び音声データをＯＮ／ＯＦＦするためのデータ切替信号を出力する出力制御手段と、この出力制御手段によって出力された前記データ切替信号に基づいて、前記映像データ及び音声データのＯＮ／ＯＦＦ制御を行うことで、前記映像データ及び音声データの一方又は両方を前記映像機器又は音声機器に送信する送信制御手段と、を具備する。
【発明の効果】  ＨＤＭＩに映像／音声データをＯＮ／ＯＦＦする機能を新たに追加することにより、受信機器の誤読み込みが少ないデータ送信が可能となり、更なる高画質及び高音質のデジタルデータを提供することができる。
【発明を実施するための最良の形態】  以下、図面を参照しながら本発明の実施の形態について詳細に説明する。
送信機器のＨＤＭＩから送信するデータに切換機能をもたせ、受信機器に対し映像データ又は音声データのどちらかを限定して出力する構成は、図１〜図６のような構成が考えられる。これらの図において、送信機器１はセットトップボックス（ＳＴＢ）、ＤＶＤ再生装置等の機器であり映像及びオーディオデータをＨＤＭＩデータとして送信可能な機器である。又、映像機器３及びオーディオ機器４等の受信機は全てＨＤＭＩ対応機器である。
図１及び図２は送信機器と受信機器が１対１の関係で接続された構成を示す。図１の受信機器がプロジェクター等の映像機器３の場合、送信機器１側で音声データの出力をＯＦＦすることで、受信機器に映像データのみを送信する。図２の受信機器がＡＶアンプ等のオーディオ機器４の場合、送信機器１側で映像データの出力をＯＦＦすることで、受信機器に音声データのみを送信する。
図３〜図５は送信機器と受信機器が１対２以上の関係で接続された構成を示す。図３の受信機器が映像機器３及びオーディオ機器４など種類が異なる場合、映像機器３には音声データの出力をＯＦＦして映像データのみを、オーディオ機器４には映像データの出力をＯＦＦして音声データのみをそれぞれ送信する。
図４は受信機器の両方が映像機器３又はオーディオ機器４の場合の接続を示す。図４（ａ）のように受信機器が共に映像機器３のときには、音声データの出力をＯＦＦして映像データのみを、図４（ｂ）のように受信機器が共にオーディオ機器４のときには映像データの出力をＯＦＦして音声データのみを送信する。
図５はＨＤＴＶ及び映像機器又はオーディオ機器に接続する場合の構成を示す。ＨＤＴＶ２には通常のＨＤＭＩデータ送信し、他方の受信機器が映像機器３のときには映像データのみを、オーディオ機器４のときには映像データのみを送信する。
次に本発明の送信機器１を実現するための基本構成の一例を図６  に示す。
図６は本発明が適用される送信機器１として、ＳＴＢ１を示すブロック図である。ＳＴＢ１は例えばデジタル衛星放送受信機である。このＳＴＢ１は、入力部２２、チューナー８、デコーダ９、メモリ１０、出力制御部１１、ＣＰＵ１２、グラフィック処理部１３、出力端子１４、操作部１６、ＨＤＤ１７、及び通信ネットワークへのインターフェースを実現するネットワークアダプタｌ８を備えている。
入力部２２には、アンテナで受信された放送信号が入力される。入力部２２より入力された放送信号は、チューナー８により特定の番組データが抽出され、デコーダ９によってデコードされる。出力制御部１１は、デコーダ９によってデコードされた番組のオーディオ及び映像データをＨＤＭＩデータに変換し、出力端子１４を介して送信する。
グラフィック処理部１３は、ＯＳＤ（ｏｎ  ｓｃｒｅｅｎ  ｄｉｓｐｌａｙ）画像等を必要に応じて生成する。メモリ１０は本発明によるプログラムを格納するＲＯＭ及びＣＰＵ１２の作業エリアとして使用されるＲＡＭを含む。操作部１６は、例えばリモートコントローラであり、この操作部１６には各種入力操作を受けつけるための様々なキー１６ａ、１６ｂが設けられている。
図７はＨＤＭＩ送信機器１の主要部の構成を示すブロック図である。送信機器１はＨＤＭＩの出力データを作成するＨＤＭＩ  ＬＳＩ５と、これを制御する制御回路６、ＨＤＭＩデータを作成する元となるデジタルのオーディオデータ及び映像データを生成するデジタルデータ出力回路７と、該データを外部に送信するための出力端子１４を含む。尚、ＨＤＭＩ  ＬＳＩ５及び制御回路６は、図６のＳＴＢ１の出力制御部１１に対応し、出力回路７はチューナー８及びデコーダ９に対応する。
図８はＨＤＭＩの基本的な仕様を参考として示す図である。ＨＤＭＩでは、オーディオ及び映像データがシリアルデータとして送信される。
図９は制御回路６及びデジタルデータ出力回路７で生成される信号を説明するための図である。ＨＤＭＩ  ＬＳＩの制御回路６からの信号線２１に出力される制御データに、映像データの出力をＯＦＦするための信号と、音声データをＯＦＦするための信号を追加することで、ＨＤＭＩ  ＬＳＩの出力データを切換える。
図１０は制御回路６の動作を示すフローチャートである。
先ず制御回路６はステップＳ１のように接続機器の仕様を入力する。ここで仕様とは受信機器の種類を示す情報であって、受信機器がプロジェクター等の映像機器３であるか又はＡＶアンプ等のオーディオ機器４であるか又はデジタルテレビ等のＡＶ機器２であるかを示す情報である。この情報は、出力端子１４と受信機器を接続するＨＤＭＩケーブル２５を介して、受信機器からＥＤＩＤ（Ｅｘｔｅｎｄｅｄ  Ｄｉｓｐｌａｙ  Ｉｄｅｎｔｉｆｉｃａｔｉｏｎ  Ｄａｔａ）として提供される受信機器の機器情報あるいは操作部１６から提供されるユーザ指示として入力される。
接続機器の仕様を基に、制御回路６はステップＳ２のように、音声出力が必要か否か判断する。受信機器が映像機器３のように音声出力が必要ない場合（ｎｏの場合）、デジタルビデオ／オーディオデータのＯＮ／ＯＦＦ設定情報としてデジタルオーディオデータＯＦＦ信号（例えば”０，１”）を信号線２１に出力する。次に制御回路６はステップＳ４のように、映像出力が必要か否か判断する。受信機器がオーディオ機器４のように映像出力が必要ない場合（ｎｏの場合）、ＯＮ／ＯＦＦ設定情報としてデジタルビデオデータＯＦＦ信号（例えば”１，０”）を信号線２１に出力する。ステップＳ４でｙｅｓの場合、制御回路６はＯＦＦ信号を出力せずに、この処理を終了する。信号線２１は電源にプルアップされており、制御回路６がＯＦＦ信号を出力しない場合、信号”１，１”が信号線２１に出力される。
ＨＤＭＩ  ＬＳＩ５は、この制御回路６からの映像／音声データＯＦＦ信号を受信した場合、ＨＤＭＩ送信データの切換を行う。図１１はＨＤＭＩ  ＬＳＩ５の動作を示すフローチャート、図１２はＨＤＭＩ送信データの切換を示す信号図である。
先ずＨＤＭＩＬＳＩ５はステップＳ１１のように、デジタルビデオ／オーディオデータＯＮ／ＯＦＦ設定情報を制御回路６から入力する。ステップ１２のようにオーディオデータＯＮ（設定情報が”０，１”）の場合、制御回路６はデジタルオーディオデータをＯＦＦにする（Ｓ１３）。図１２（ａ）は映像データＯＦＦ時のＨＤＭＩ送信データを示す。各音声データ間の間隔を十分取ることで映像データの影響によるデータの誤読み取りを防ぐことができる。
次にステップ１４のようにビデオデータＯＮ（設定情報が”１，０”）の場合、制御回路６はデジタルビデオデータをＯＦＦにする（Ｓ１５）。この場合のＨＤＭＩ送信データを図１２（ｂ）に示す。音声データがなく、各映像データ間の間隔を十分取ることで、音声データの影響によるデータの誤読み取りを防ぐことができる。
尚、図１２（ｃ）は通常のＨＤＭＩ送信データである。映像データと音声データを交互に送信しており、お互いのデータが干渉し合い、それぞれのデータに悪影響を及ぼす場合がある。
以上説明したように本発明によれば、受信機器の誤読み込みが少ないデータ送信を可能とし、更なる高画質及び高音質のデジタルデータを提供することができる。
【図面の簡単な説明】
【図１】送信機器と受信機器が１対１の関係で接続された構成を示す図である。
【図２】送信機器と受信機器が１対１の関係で接続された他の構成を示す図である。
【図３】送信機器と受信機器が１対２以上の関係で接続された構成を示す図である。
【図４】送信機器と受信機器が１対２以上の関係で接続された他の構成を示す図である。
【図５】ＨＤＴＶ及び映像機器又はオーディオ機器に接続する場合の構成を示す図である。
【図６】送信機器１としてのＳＴＢを示すブロック図である。
【図７】ＨＤＭＩ送信機器１の主要部の構成を示すブロック図である。
【図８】ＨＤＭＩの基本的な仕様を参考として示す図である。
【図９】制御回路６及びデジタルデータ出力回路７で生成される信号を説明するための図である。
【図１０】制御回路６の動作を示すフローチャートである。
【図１１】ＨＤＭＩ  ＬＳＩ５の動作を示すフローチャートである。
【図１２】ＨＤＭＩ送信データの切換を示す信号図である。
【図１】
2005057714.tif 000003
【図２】
2005057714.tif 000004
【図３】
2005057714.tif 000005
【図４】
2005057714.tif 000006
【図５】
2005057714.tif 000007
【図６】
2005057714.tif 000008
【図７】
2005057714.tif 000009
【図８】
2005057714.tif 000010
【図９】
2005057714.tif 000011
【図１０】
2005057714.tif 000012
【図１１】
2005057714.tif 000013
【図１２】
2005057714.tif 000014